(57)【特許請求の範囲】
【請求項１】
柄部と切刃部からなる一対の鋏片を回動中心軸回りに開閉動可能に支持した多機能ハサミであって、
前記一対の鋏片のうち少なくとも一方の鋏片は、前記柄部の軸の内側に第二切刃を有し、
前記軸は前記切刃部に対して直交する直交部位を有し、前記直交部位に前記第二切刃が形成されることを特徴とする多機能ハサミ。
【請求項２】
前記第二切刃は、糸切刃であることを特徴とする請求項１に記載の多機能ハサミ。
【請求項３】
前記第二切刃を覆う保護カバーを備えることを特徴とする請求項１または２に記載の多機能ハサミ。
【請求項４】
前記一対の鋏片は、分離可能に構成されることを特徴とする請求項１から３のうちいずれか一項に記載の多機能ハサミ。
【請求項５】
前記一対の鋏片のうち少なくとも一方の鋏片は、前記切刃部の峰側に第三切刃を有することを特徴とする請求項１から４のうちいずれか一項に記載の多機能ハサミ。
【請求項６】
前記第三切刃は、ナイフまたは段ボールカッターであることを特徴とする請求項５に記載の多機能ハサミ。
【請求項７】
前記第三切刃を覆う保護カバーを備えることを特徴とする請求項５または６に記載の多機能ハサミ。
【請求項８】
前記柄部同士を当接させるエボ部を有し、前記エボ部にケーブルストリッパーを形成したことを特徴とする請求項１から７のうちいずれか一項に記載の多機能ハサミ。
【請求項９】
前記一対の鋏片のうち少なくとも一方の鋏片は、切先にマイナスドライバーまたは缶切りを有することを特徴とする請求項１から８のうちいずれか一項に記載の多機能ハサミ。
【発明の詳細な説明】
【技術分野】
【０００１】  本発明は、多機能ハサミに関する。
【背景技術】
【０００２】  ハサミに複数の機能を集約した多機能ハサミがある。多機能ハサミは、本来は紙片などを切断するハサミに、他の機能を加えたものである。
【先行技術文献】
【特許文献】
【０００３】
【特許文献１】特開昭６３−２２８７１号公報
【発明の概要】
【発明が解決しようとする課題】
【０００４】  特許文献１の多機能ハサミは、ハサミとナイフの機能を併せ持つ。
本発明が解決しようとする課題は、文具や工具、キッチン用品などの複数の機能を集約して、様々な場面での使用が可能になる多機能ハサミを提供することである。
【課題を解決するための手段】
【０００５】  本発明の多機能ハサミは、柄部と切刃部からなる一対の鋏片を回動中心軸回りに開閉動可能に支持した多機能ハサミであって、前記一対の鋏片のうち少なくとも一方の鋏片が、前記柄部の軸の内側に第二切刃を有することを特徴とする。
本発明の多機能ハサミは、前記第二切刃が、糸切刃であることを特徴とする。
本発明の多機能ハサミは、前記軸が前記切刃部に対して直交する直交部位を有し、前記直交部位に前記第二切刃が形成されることを特徴とする。
本発明の多機能ハサミは、前記第二切刃を覆う保護カバーを備えることを特徴とする。
本発明の多機能ハサミは、前記一対の鋏片が分離可能に構成されることを特徴とする。
本発明の多機能ハサミは、前記一対の鋏片のうち少なくとも一方の鋏片が、前記切刃部の峰側に第三切刃を有することを特徴とする。
本発明の多機能ハサミは、前記第三切刃が、段ボールカッターであることを特徴とする。
本発明の多機能ハサミは、前記第三切刃を覆う保護カバーを備えることを特徴とする。
本発明の多機能ハサミは、前記柄部同士を当接させるエボ部を有し、前記エボ部にケーブルストリッパーを形成したことを特徴とする。
本発明の多機能ハサミは、前記一対の鋏片のうち少なくとも一方の鋏片が、切先にマイナスドライバーまたは缶切りを有することを特徴とする。
【発明の効果】
【０００６】  本発明の多機能ハサミは、文具や工具、キッチン用品などの複数の機能を集約しているので、様々な場面での使用が可能になり、とても便利である。
【図面の簡単な説明】
【０００７】
【図１】  本発明の多機能ハサミを示す図である。
【図２】  鋏片同士を分離した状態を示す図である。
【発明を実施するための形態】
【０００８】  図１に示す様に、本発明の多機能ハサミＳは、鉄鋼またはステンレスからなり、一対の鋏片１，２を有する。各鋏片１，２は、柄部１１，２１と切刃部１６，２６を有し、回動中心軸４回りに開閉動可能に連結支持される。
一対の鋏片１，２のうち少なくとも一方（鋏片１）は、柄部１１の軸１２の内側１２ａに第二切刃１５を有する。軸１２は、切刃部１６に対して直交する直交部位１３を有し、この直交部位１３に第二切刃１５が形成される。第二切刃１５は、例えば糸切刃である。直交部位１３に第二切刃１５を覆うカバー（不図示）を取り付けもよい。このカバーは、直交部位１３に対して着脱可能であり、第二切刃１５をカバーで覆うことにより使用者の安全を確保できる。
鋏片１は、切刃部１６の峰側にナイフ（第三切刃）１７等を有してもよい。
【０００９】  一対の鋏片１，２のうち少なくとも一方（鋏片２）は、切刃部２６の峰側に段ボールカッター（第三切刃）２７を有してもよい。また、一対の鋏片１，２のうち少なくとも一方（鋏片２）は、切先（切刃部の先端）にマイナスドライバー２８や缶切り２９を有してもよい。
【００１０】  図２に示す様に、多機能ハサミは１、一対の鋏片１，２が分離可能に構成される。
回動中心軸４は、鋏片１に設けられた中心軸体５と、鋏片２に設けられた略８字形の嵌合穴６からなる。中心軸体５が中心軸体５に嵌まり込むことで、鋏片１，２が回動中心軸４回りに開閉動可能に連結支持される。また、中心軸体５を中心軸体５から取り外すことで、鋏片１，２が分離する。
【００１１】  多機能ハサミＳは、切刃部１６，２６を覆う保護カバー３０を備える。保護カバー３０は、プラスチックからなり、鋏片１，２を閉じた状態で切刃部１６，２６を覆う。保護カバー３０は、切刃部１６，２６の峰側も覆うので、切刃部１６，２６の峰側にナイフ１７や段ボールカッター２７を設けても使用者の安全を確保できる。
【００１２】  多機能ハサミＳは、柄部１１，２１同士を当接させるエボ部７，８を有する。このエボ部７，８によりケーブルストリッパー９が構成される。
【００１３】  多機能ハサミＳは、鋏片１が、柄部１１の軸１２の内側に第二切刃１５を有するので、鋏片１，２を開閉することなく（閉じた状態のままで）、ナイロン紐等を切断することができる。しかも、第二切刃１５が軸１２の内側に配置されるので、使用者の安全を確保できる。
軸１２が切刃部１６に対して直交する直交部位１３を有し、この直交部位１３に第二切刃１５が形成されるので、ナイロン紐等を切断する際に、鋏片１，２が不用意に開くことが防止される。したがって、使用者の安全を確保できる。
多機能ハサミＳは、柄部１１，１２同士を当接させるエボ部７，８を有し、このエボ部７，８にケーブルストリッパー９が形成される。このため、スペースの縮小化、多機能化を図ることができる。
このように、多機能ハサミＳは、文具や工具、キッチン用品などの複数の機能が集約されているので、スペースの縮小、持ち運びの簡易さ、様々な場面での使用が可能になり、とても便利である。
【符号の説明】
【００１４】  Ｓ  多機能ハサミ    １，２  鋏片    ４  回動中心軸    ５  中心軸体    ６  嵌合穴    ７，８  エボ部    ９  ワイヤストリッパー    １１  柄部    １２  軸    １２ａ  内側    １３  直交部位    １５  第二切刃    １６  切刃部    １７  ナイフ（第三切刃）    ２１  柄部    ２６  切刃部    ２７  段ボールカッター（第三切刃）    ２８  マイナスドライバー    ２９  缶切り    ３０  保護カバー
【要約】
【課題】従来にない機能をハサミに集約した多機能ハサミを提案する。
【解決手段】多機能ハサミは、柄部と切刃部からなる一対の鋏片を回動中心軸回りに開閉動可能に支持し、一対の鋏片のうち少なくとも一方の鋏片が柄部の軸の内側に第二切刃を有する。第二切刃が糸切刃である。軸が切刃部に対して直交する直交部位を有し、この直交部位に第二切刃が形成される。
【選択図】図１【図１】
0006764044.tif 000002
【図２】
0006764044.tif 000003